(57)【要約】好適な実施形態に係るコンバーチブル家具（１）は、複数の端面支持体（１２ａ、１２ｂ）を有するフレーム（１１ａ）と、前記フレームに支持されたベッド（３ａ）およびテーブル部（４ａ）とを備える第１の家具部品（２ａ）と；複数の端面支持体（１２ａ、１２ｂ）を有するフレーム（１１ｂ）と、前記フレームに支持されたベッド（３ｂ）およびテーブル部（４ｂ）とを備える第２の家具部品（２ｂ）と；前記家具部品間に、これらを少なくともテーブル位置とベッド位置との間で動くようにガイドするように配置されたピボット手段（ヒンジ（５ａ、５ａ'）およびガススプリング（５ｂ）等）と；前記テーブル位置にある前記家具部品を固定するように配置された第１および第２のロック部材（６ａ、６ｂ）を有し、開放時には、前記家具部品の前記ベッド位置への動きを可能にする開閉式のテーブルロック（６）とを備える。前記テーブルロックは、前記第１または前記第２の家具部品（２ａ、２ｂ）に支持される長尺シャフト（６ｃ）を用いて操作される。前記シャフトの第１の端部（９ａ）は、第１のおよび／または第２のロック部材（６ａ、６ｂ）に接続される。前記シャフトは、これらロック部材から、前記第１または第２のベッド（３ａ、３ｂ）を越えて、前記テーブル部（４ａ、４ｂ）の第２の縁部（８ａ、８ｂ）に向かって延びる。そこでは前記長尺シャフト（６ｃ）の第２の端部（９ｂ）が前記第２の縁部（８ａ、８ｂ）に位置付けられ、ユーザーによって手動で操作されるように配置される。前記シャフトは、前記第１または第２のテーブル部（４ａ、４ｂ）の面に沿った方向に動かされるように構成される。【選択図】図３
2021526056.tif 000002
【特許請求の範囲】
【請求項１】
・  第１および第２の端面支持体（１２ａ、１２ｂ）を有する第１のフレーム（１１ａ）と、前記第１のフレームに支持された第１のベッド（３ａ）および第１のテーブル部（４ａ）とを備える第１の家具部品（２ａ）と、
・  第１および第２の端面支持体（１２ａ、１２ｂ）を有する第２のフレーム（１１ｂ）と、前記第２のフレームに支持された第２のベッド（３ｂ）および第２のテーブル部（４ｂ）とを備える第２の家具部品（２ｂ）と、
・  前記第１の家具部品（２ａ）と前記第２の家具部品（２ｂ）との間に、これらを少なくとも
・  第１および第２のテーブル部は水平に配置され、これによって水平テーブル面（４）を形成し、前記ベッドは使用不能である、テーブル位置と
・  前記ベッドは使用可能であり、前記テーブル部は使用不能である、ベッド位置と
の間で動くようにガイドするように配置されたピボット手段（５ａ、５ｂ）と、
・  前記テーブル位置にある前記第１および第２の家具部品（２ａ、２ｂ）を固定するように配置され、前記第１の家具部品（２ａ）にある第１のロック部材（６ａ）と、前記第２の家具部品（２ｂ）にある第２のロック部材（６ｂ）とを備え、アクチュエータによって、
・  前記ロック部材（６ａ、６ｂ）が互いに噛み合い、これによって前記テーブル位置にある前記家具部品（２ａ、２ｂ）を固定するロック位置と
・  前記ロック部材（６ａ、６ｂ）が互いに噛み合わず、これによって前記家具部品（２ａ、２ｂ）の前記ベッド位置への動きを可能にする開位置と
の間で動かされるように構成されたテーブルロック（６）と
を備えるコンバーチブル家具（１）であって、
前記アクチュエータは長尺シャフト（６ｃ）であり、当該シャフトは、
・  前記テーブルロック（６）に接続され、
・  前記第１または前記第２の家具部品（２ａ、２ｂ）に支持され、
・  前記第１または前記第２のテーブル部（４ａ、４ｂ）の面に沿った方向に動かされるように構成され、
前記テーブル部（４ａ、４ｂ）は、少なくとも主として平行な
・  前記テーブル位置では、前記テーブル面（４）の中央で互いに接し、ベッド位置では、前記ベッドの側面の上縁部として配置される第１の縁部（７ａ、７ｂ）と、
・  前記テーブル位置では、前記テーブル面（４）の外縁部として配置され、ベッド位置では、前記ベッドの側面の下縁部として配置される第２の縁部（８ａ、８ｂ）と
を備え、
前記長尺シャフト（６ｃ）の第１の端部（９ａ）が前記第１および／または第２のロック部材（６ａ、６ｂ）に接続され、シャフトはこれらロック部材から、前記第１または第２のベッド（３ａ、３ｂ）を越えて、前記テーブル部（４ａ、４ｂ）の前記第２の縁部（８ａ、８ｂ）に向かって延びており、これによってテーブル位置では、前記長尺シャフト（６ｃ）の第２の端部（９ｂ）が前記第２の縁部（８ａ、８ｂ）に位置付けられ、ユーザーによって手動で操作されるように配置される
ことを特徴とする、コンバーチブル家具（１）。
【請求項２】
前記テーブル位置では、
・  前記第１および第２のテーブル部（４ａ、４ｂ）の上面が実質的に互いに面一に配置され、これによって前記水平テーブル面（４）を形成し、
・  前記第１および第２のベッド（３ａ、３ｂ）は、主として垂直に配置され、前記テーブル部（４ａ、４ｂ）の下で使用不能であり、
前記ベッド位置では、
・  前記第１および第２のベッド（３ａ、３ｂ）は、水平に配置され使用可能であり、
・  前記第１および第２のテーブル部（４ａ、４ｂ）は、垂直ベッドの側面として配置される
ことを特徴とする、請求項１に記載のコンバーチブル家具（１）。
【請求項３】
前記第１および第２のロック部材（６ａ、６ｂ）は、前記テーブル位置ではテーブルの中央で互いに接し、ベッド位置では前記ベッドの側面の上縁部に配置されるように、前記テーブル部（４ａ、４ｂ）の前記第１の縁部（７ａ、７ｂ）に位置することを特徴とする、請求項１または２に記載のコンバーチブル家具（１）。
【請求項４】
前記長尺シャフトは、枢動点（１３）を中心に前記テーブル面（４）の面に沿った方向に回転するように構成されたレバー（６ｃ）である、または当該レバー（６ｃ）を備えることを特徴とする、請求項１から３のいずれかに記載のコンバーチブル家具（１）。
【請求項５】
前記長尺シャフト（６ｃ）は、前記第１または第２のテーブル部（４ａ、４ｂ）の内面（１０ａ、１０ｂ）に支持されていることを特徴とする、請求項１から４のいずれかに記載のコンバーチブル家具（１）。
【請求項６】
前記長尺シャフト（６ｃ）は、家具部品（２ａ、２ｂ）のテーブル部（４ａ、４ｂ）とベッド（３ａ、３ｂ）との間に配置され、この間で可動であることを特徴とする、請求項１から５のいずれかに記載のコンバーチブル家具（１）。
【請求項７】
各テーブル部（４ａ、４ｂ）は、その端面支持体（１２ａ、１２ｂ）に垂直に配置され、これによって各端面支持体（１２ａ、１２ｂ）は、
・  テーブル位置では床と接する垂直支持体として機能し、
・  ベッド位置では垂直ベッド端部として機能する
ことを特徴とする、請求項１から６のいずれかに記載のコンバーチブル家具（１）。
【請求項８】
フレームの各端面支持体（１２ａ、１２ｂ）は、
・  テーブル位置では、主として垂直となり、他方のフレームに対向しており、ベッド位置では、主として前記ベッド端部の水平上縁部となる、第１の端面支持体縁部（１３１）と、
・  テーブル位置では、主として垂直となり、他方のフレームから離れており、ベッド位置では、主として前記ベッド端部の水平下縁部となる、第２の端面支持体縁部（１３２）と、
・  テーブル位置では、主として床と接する前記垂直支持体の水平下縁部となり、ベッド位置では、主として垂直となり、他方のフレームに対向している、第３の端面支持体縁部（１３３）と、
・  テーブル位置では、主として前記垂直支持体の水平上縁部となり、その頂部に前記テーブル部（４ａまたは４ｂ）を支持しており、ベッド位置では、主として垂直となり、他方のフレームから離れている、第４の端面支持体縁部（１３４）と
を備えていることを特徴とする、請求項７に記載のコンバーチブル家具（１）。
【請求項９】
前記家具の置かれている床に対する動きを容易にするために、前記端面支持体（１２ａ、１２ｂ）に１つ以上の部分的に隠されたホイール（１４）が取り付けられ、当該ホイール（１４）の一部が、前記端面支持体の少なくとも１つ、または１つまたは２つの縁部（１３２、１３３）から突出していることを特徴とする、請求項１から８のいずれかに記載のコンバーチブル家具（１）。
【請求項１０】
前記１つ以上のホイール（１４）は、
・  前記第２の端面支持体縁部（１３２）と前記第３の端面支持体縁部（１３３）がぶつかる隅に配置され、及び／又は
・  前記第２の端面支持体縁部（１３２）のみから突出するように配置される
ことを特徴とする、請求項９に記載のコンバーチブル家具（１）。
【請求項１１】
前記１つ以上のホイールは、その大半を、または部分的に前記エンドパネル（１２ａ、１２ｂ）の内側に配置されることを特徴とする、請求項９または１０に記載のコンバーチブル家具（１）。
【請求項１２】
前記ホイールは、ベッド位置とテーブル位置との間の動きのどの段階においても前記家具（１）と床とが接触する点に配置されることを特徴とする、請求項９から１１のいずれかに記載のコンバーチブル家具（１）。
【請求項１３】
前記ホイール（１４ａ、１４ｂ）は、前記家具部品（２ａ、２ｂ）の前記端面支持体（１２ａ、１２ｂ）に取り付けられた支持板（１６ａ、１６ｂ）に取り付けられていることを特徴とする、請求項９から１２のいずれかに記載のコンバーチブル家具（１）。
【請求項１４】
前記支持板（１６ａ、１６ｂ）は、前記ホイール（１４ａ、１４ｂ）および前記ピボット手段（５ａ、５ｂ）を支持していることを特徴とする、請求項１３に記載のコンバーチブル家具（１）。
【請求項１５】
前記支持板（１６ａ、１６ｂ）は、前記端面支持体の縁部（１３３）に沿って、これに取り付けられていることを特徴とする、請求項１３または１４に記載のコンバーチブル家具（１）。
【請求項１６】
テーブル位置では、前記支持板（１６ａ、１６ｂ）は、主として前記端面支持体の水平下縁部（１３３）となることを特徴とする、請求項１３から１５のいずれかに記載のコンバーチブル家具（１）。
【請求項１７】
可動な追加の支持体（１５）が前記テーブル部（４ａ、４ｂ）の下に配置され、前記テーブル部および／または前記端面支持体（１２）に固定され、これによって少なくとも当該追加の支持体の一部（１５ｂ）が端面支持体縁部（１３２）またはテーブル部縁部（８ａ、８ｂ）へと可動であり、前記ベッド位置では、前記縁部（１３２、８ａ、８ｂ）に位置付けられた前記追加の支持体の前記第２の端部（１５ｂ）が、床に当たるように配置されることを特徴とする、請求項１から１６のいずれかに記載のコンバーチブル家具（１）。
【請求項１８】
少なくとも前記追加の支持体の前記一部（１５ｂ）は、前記第２の端面支持体縁部（１３２）または前記第２のテーブル部縁部（８ａ、８ｂ）へと可動であることを特徴とする、請求項１７に記載のコンバーチブル家具（１）。
【請求項１９】
前記家具をベッド位置へと動かす準備の際に、垂直軸（１５ａ）を中心に、前記追加の支持体（１５）の外側端部（１５ｂ）を回転させ、前記第２のエンドパネル縁部（１３２）に当てることを特徴とする、請求項１８に記載のコンバーチブル家具（１）。
【請求項２０】
・  ベッド位置では、前記ピボット手段（５ａ、５ａ'、５ｂ）の全部または全可動部が前記端面支持体（１２ａ、１２ｂ）の上縁部（１３１）の下に配置され、及び／又は
・  テーブル位置では、前記ピボット手段（５ａ、５ａ'、５ｂ）の全部または全可動部が前記端面支持体（１２ａ、１２ｂ）の下縁部（１３３）の上部に配置される
ことを特徴とする、請求項１から１９のいずれかに記載のコンバーチブル家具（１）。
【請求項２１】
前記ピボット手段（５ａ、５ａ'、５ｂ）は、前記家具部品の前記端面支持体（１２ａ、１２ｂ）に回転可能に支持されていることを特徴とする、請求項１から２０のいずれかに記載のコンバーチブル家具（１）。
【請求項２２】
前記ピボット手段（５ａ、５ａ'、５ｂ）は、前記家具（１）の両端部に配置されることを特徴とする、請求項１から２１のいずれかに記載のコンバーチブル家具（１）。
【請求項２３】
テーブル位置では、前記ピボット手段（５ａ、５ａ'、５ｂ）は、主として前記端面支持体の水平下縁部となる前記端面支持体の縁部（１３３）に、またはその付近に取り付けられていることを特徴とする、請求項１から２２のいずれかに記載のコンバーチブル家具（１）。
【請求項２４】
前記ヒンジ構造の枢動点（Ｐ）は、前記家具部品の前記端面支持体（１２ａ、１２ｂ）の外側に配置されることを特徴とする、請求項１から２３のいずれかに記載のコンバーチブル家具（１）。
【請求項２５】
前記ピボット手段は、２つのヒンジアーム（５ａ、５ａ'）を備え、各アームは前記第１および前記第２の家具部品（２ａ、２ｂ）に回転可能に取り付けられ、これによって前記ヒンジアーム（５ａ、５ａ'）の締結点（１９）は、前記家具部品上に対称に位置していることを特徴とする、請求項１から２４のいずれかに記載のコンバーチブル家具（１）。
【請求項２６】
前記ピボット手段は、前記家具（１）の両端部に２つのヒンジアーム（５ａ、５ａ'）を備えることを特徴とする、請求項１から２５のいずれかに記載のコンバーチブル家具（１）。
【請求項２７】
前記ピボット手段（５ａ、５ａ'、５ｂ）は、前記家具部品（２ａ、２ｂ）の前記端面支持体（１２ａ、１２ｂ）に取り付けられた支持板（１６ａ、１６ｂ）に取り付けられていることを特徴とする、請求項１から２６のいずれかに記載のコンバーチブル家具（１）。
【請求項２８】
各支持板（１６ａ、１６ｂ）は、ホイール（１４ａ、１４ｂ）および前記ピボット手段（５ａ、５ａ'、５ｂ）を支持していることを特徴とする、請求項２７に記載のコンバーチブル家具（１）。
【請求項２９】
前記支持板（１６ａ、１６ｂ）は、前記端面支持体の縁部（１３３）に沿って、これに取り付けられていることを特徴とする、請求項２７または２８に記載のコンバーチブル家具（１）。
【請求項３０】
テーブル位置では、前記支持板（１６ａ、１６ｂ）は、主として前記端面支持体の水平下縁部（１３３）となることを特徴とする、請求項２７から２９のいずれかに記載のコンバーチブル家具（１）。
【請求項３１】
請求項１から３０のいずれかに記載のコンバーチブル家具（１）を用いる方法であって、当該方法は、
・  第１および第２の家具部品（２ａ、２ｂ）を少なくともベッド位置とテーブル位置との間で動かすことであって、各家具部品は、２つの端面支持体（１２ａ、１２ｂ）と、前記支持体に支持されたベッド（３ａ、３ｂ）およびテーブル部（４ａ、４ｂ）とを備える、動かすことと、
・  前記第１の家具部品（２ａ）と前記第２の家具部品（２ｂ）との間のピボット手段（５ａ、５ａ'、５ｂ）によって、前記動きをガイドすることと
を含み、
・  ベッド位置では、前記ピボット手段（５ａ、５ａ'、５ｂ）の全部または全可動部を前記端面支持体（１２ａ、１２ｂ）の上縁部（１３１）の下に維持し、及び／又は
・  テーブル位置では、前記ピボット手段（５ａ、５ａ'、５ｂ）の全部または全可動部を前記端面支持体（１２ａ、１２ｂ）の下縁部（１３３）の上部に維持する
ことを特徴とする方法。
【発明の詳細な説明】
【技術分野】
【０００１】
本発明は、別の家具に転換できる家具であるコンバーチブル家具に関する。本発明は、特に、ベッドからテーブルへ、またはその逆に転換できる家具に関する。
【背景技術】
【０００２】
米国特許公報第６０，３３９Ａ号、ハンガリー特許公報第１９５，４１６Ｂ号、フランス特許公報第１，４２０，３００Ａ号、米国特許公報第２７７，６３７Ａ号、および米国特許公報第４，２７７，８５６Ａ号は、テーブルまたはベッドのいずれかとして配置可能な家具を示している。従来技術は複雑であり、使用しづらい。
【発明の概要】
【発明が解決しようとする課題】
【０００３】
本発明の目的は、従来技術における上記の問題を抑える、または取り除くことである。
【０００４】
本発明の目的は、複数の家具部品を必要に応じて動かないように固定し、必要に応じて動かせる、簡単かつ確実な方法を提供することである。
【０００５】
本発明の目的は、家具をベッドからテーブルへ、またはその逆に転換する際に、複数の家具部品の簡単かつ確実な動きを可能にすることである。
【課題を解決するための手段】
【０００６】
とりわけ、上記の目的を達成するために、本発明に係るコンバーチブル家具及びその他の物は、添付の独立請求項の記載を特徴としている。従属請求項には、本発明の一部の実施形態を提示する。
【０００７】
本明細書に記載の実施形態、実施例、および効果は、必ずしも明示しないものの、該当する場合、コンバーチブル家具またはこれを使用する際の任意の方法に関するとともに、本発明の任意の別の態様にも関する。
【０００８】
本発明の基本的な概念をシンプルに記載すると、コンバーチブル家具は、
・  複数の端面支持体を有するフレーム（パネル等）と、前記フレームに支持されたベッドおよびテーブル部とを備える第１の家具部品と、
・  複数の端面支持体を有するフレーム（パネル等）と、前記フレームに支持されたベッドおよびテーブル部とを備える第２の家具部品と、
・  前記家具部品間に、これらを少なくともテーブル位置とベッド位置との間で動かすようにガイドするように配置され、例えば端面支持体に取り付けられていてもよいピボット手段（ヒンジ、レール、およびガススプリング等）と、
・  前記テーブル位置にある前記家具部品を固定するように配置され、開放時には、前記家具部品の前記ベッド位置への動きを可能にする開閉式のテーブルロックと
を備える。
【０００９】
この基本的な概念は、例えば、以下の技術的概念のうちの１つ以上を追加することによって、その進歩性が増す。
１）前記ロックは、長尺アクチュエータ、すなわち、前記ロックに操作可能に接続されたシャフトとともに用いられる。前記シャフトは、家具部品に可動に支持され（例えばテーブル部の下）、前記テーブル部の面に沿った方向にのみ、または少なくとも主としてこの方向に動かされるように構成される。前記シャフトは、前記テーブルの中央で前記ロックから、前記テーブル部の下の前記ベッドを越えて、前記テーブル部の外縁部付近にまで延びてもよい。例えば、横方向に回転可能な比較的長いレバーによって、前記ロックが容易に使用できるようになる。前記シャフトは、枢動点を中心に回転するレバーであってもよい。これらの特徴により、前記テーブルロックの開閉が簡単かつ確実となる。
２）１つ以上のホイールが前記端面支持体に取り付けられる。前記ホイールは、部分的に隠されていてもよく、すなわち、前記ホイールの一部のみが見えており、すなわち、前記ホイールは前記端面支持体の１つの縁部または１つ以上の縁部から突出している。これらのホイールによって、置かれている床またはその他の支持体に対する家具の動きが容易になる。これらのホイールは、テーブル位置では、前記端面支持体の外側下隅に位置していると有利である。前記ホイールは、隅に配置されているものの、垂直端面支持体縁部のみから突出しているとさらに有利である。
３）前記家具部品間の前記ピボット手段は、ベッド位置では、前記ピボット手段のいずれの部分または可動部も前記端面支持体の上縁部に届かないように構成される。これによって家具を安全で快適に使用することができる。
４）床またはその他の支持体に当てられる可動な追加の支持体が、テーブル部の下、例えば端面支持体に当てられる。前記家具をベッド位置へと動かす準備の際に、前記支持体が前記端面支持体縁部に設置され、すなわち、ベッド位置では床に接する。このとき、前記支持体は床に当たっている。ベッド位置にある家具の重量は、使用され得るホイールおよび少なくとも部分的に追加の支持体に乗る。これらの追加の支持体を家具の別の位置にさらに設けてもよい。
５）１つ以上の支持板を前記家具部品の前記端面支持体に取り付けてもよい。支持板は、前記端面支持体とは別体であり、例えば金属またはプラスチック製である。各支持板は、ホイールおよび前記ピボット手段を支持している。支持板を端面支持体の縁部に沿って、これに取り付けてもよい。支持板によって前記端面支持体の縁部を形成してもよい。テーブル位置では、前記支持板は主として前記端面支持体の水平下縁部に位置していてもよい。
【００１０】
列挙された技術的概念およびさらに多くの実施形態が、図面を参照して以下に詳述される。それぞれの概念は、個別に記載されていない形式によっても互いに組み合わせることができる。
【００１１】
本発明に係る典型的なコンバーチブル家具の実施形態は、
・  第１および第２の端面支持体を有する第１のフレームと、前記第１のフレームに支持された第１のベッドおよび第１のテーブル部とを備える第１の家具部品と、
・  第１および第２の端面支持体を有する第２のフレームと、前記第２のフレームに支持された第２のベッドおよび第２のテーブル部とを備える第２の家具部品と、
・  前記第１の家具部品と前記第２の家具部品との間に、これらを少なくとも
・  前記第１および第２のテーブル部は水平に配置され、これによって水平テーブル面を形成し、前記ベッドは使用不能であるテーブル位置と、
・  前記ベッドは使用可能であり、前記テーブル部は使用不能であるベッド位置と
の間で動かすようにガイドするように配置されたピボット手段（ヒンジ、レール、またはガススプリング等）と、
・  前記テーブル位置にある前記第１および第２の家具部品を固定するように配置され、アクチュエータによって、
・  前記テーブル位置にある前記家具部品を固定するロック位置と、
・  前記家具部品の前記ベッド位置への動きを可能にする開位置と
の間で動かされるように構成されたテーブルロックと
を備える。
【００１２】
前記アクチュエータは、前記テーブルロックに接続された長尺シャフトである。前記シャフトは、
・  前記第１または前記第２の家具部品に支持されており、
・  前記第１または第２のテーブル部の面に沿った方向に動かされるように構成される。
【００１３】
一実施形態では、前記テーブルロックは、異なる家具部品に位置付けられた第１および第２のロック部材を備える。前記第１および第２のロック部材は、
・  前記ロック部材が互いに噛み合い、これによって前記テーブル位置にある前記家具部品を固定するロック位置と、
・  前記ロック部材が互いに噛み合わず、これによって前記家具部品の前記ベッド位置への動きを可能にする開位置と
の間で動かされるように構成される。
【００１４】
一実施形態では、前記長尺シャフトは、前記第１または第２のロック部材に接続される。これによって、小さな動作や実際のロック機構から離れた動きによっても、前記ロック位置と前記開位置との間で、１つ以上の前記ロック部材を容易に動かすことができる。
【００１５】
前記テーブルロックは、手動で、または自動で操作し得る。一実施形態では、前記ロックはシンプルなラッチである。ラッチは、シンプル動き、例えばレバーを手で動かすことにより開閉可能である。
【００１６】
前記第１および第２のテーブル部は、その全体的な形状がおおよそ平面である。前記第１または第２のテーブル部の面がその全体面の方向となる。テーブル位置では、その面は通常、テーブル面の方向、すなわち、水平方向となる。
【００１７】
一実施形態では、前記テーブル位置において、
・  前記第１および第２のテーブル部の上面が実質的に互いに面一に配置され、これによって水平テーブル面を形成し、
・  前記第１および第２のベッドは、主として垂直に配置され、前記テーブル部の下で使用不能であり、
前記ベッド位置において、
・  前記第１および第２のベッドは、水平に配置され使用可能であり、
・  前記第１および第２のテーブル部は、垂直ベッドの側面として配置される。
【００１８】
一実施形態では、前記テーブル部は、少なくとも主として平行な第１および第２の縁部を備える。前記第１の縁部は、前記テーブル位置ではテーブル面の中央で互いに接し、ベッド位置では前記ベッドの側面の上縁部に配置される。前記第２の縁部は、前記テーブル位置では前記テーブル面の外縁部に配置され、前記ベッド位置では前記ベッドの側面の下縁部に配置される。一実施形態では、前記第１および第２のロック部材は、前記テーブル部の第１の縁部に位置している。これによって、これらのロック部材は前記テーブル位置では前記テーブルの中央で互いに接し、ベッド位置では前記ベッドの側面の上縁部に配置される。
【００１９】
前記長尺シャフトは、前記第１または第２のテーブル部の内面に支持されている、すなわち、テーブル位置では、前記テーブル部の下面にある。これによって、通常の家具使用時には当該シャフトは隠されている。
【００２０】
前記長尺シャフトは、前記家具部品の前記テーブル部と前記ベッドとの間のスペースに可動に配置されてもよい。これによって、ユーザーはテーブルの外側から前記シャフトへと容易に手を伸ばすことができる。
【００２１】
一実施形態では、前記長尺シャフトの第１の端部が第１および／または前記第２のロック部材に接続される。前記シャフトはこれらロック部材から、前記第１または第２のベッドを越えて、前記テーブル部の前記第２の縁部に向かって延びる。そこでは前記長尺シャフトの第２の端部が前記第２の縁部に位置付けられ、ユーザーによって手動で容易に操作されるように配置される。
【００２２】
前記長尺シャフトは、様々な材料で、様々なサイズ、形態で製造してもよい。可能な材料の例としてはアルミニウムや鋼等の金属、プラスチック、木材が挙げられる。前記シャフトの長さは、状況によって異なり得るが、例えば２０ｃｍ超、３０ｃｍ超、２０〜４０ｃｍ、２０〜５０ｃｍが可能である。適切なシャフト長さは、特にこれが載置される前記テーブル部の幅に応じて決まる。
【００２３】
前記長尺シャフトは、テーブルの外縁部付近から、ロックに使用される力を伝達する手段である。前記シャフトは、ロッドまたは別の種類の硬質な要素として形成されてもよい。前記シャフトは、外側コアまたはシェルと、その中に力を伝達するためのワイヤまたは別の柔軟なシャフトもしくはベルトとを備えることも可能である。
【００２４】
一実施形態では、各テーブル部は、その端面支持体に垂直に配置されている。各端面支持体は、テーブル位置では床に接する垂直支持体として機能し、ベッド位置では垂直ベッド端部として機能する。前記テーブル部と端面支持体がともにしっかりと簡単に固定され、互いに対して動かなくなると、前記フレームは堅牢になり、家具の動きに容易に耐えられる。
【００２５】
前記家具の可能な寸法を以下に挙げる。テーブル位置では、
・  テーブル部長さ：１６０〜２２０ｃｍ（ベッド方向、すなわち、端面支持体間の方向）
・  テーブル部幅：３０〜６０ｃｍ（それぞれの第１および第２の縁部間の方向）
・  テーブル高さ：６０〜１００ｃｍ、
ベッド位置では、
・  ベッド長さ：１６０〜２２０ｃｍ（ベッド方向）
・  ベッド幅：１２０〜２００ｃｍ（ダブルベッド）
・  ベッド高さ：３０〜６０ｃｍ。
【００２６】
前記家具における異なる板状部品またはパネル（テーブル部や端面支持体等）の可能な材料としては、木材、プラスチック、ハニカムパネル、その他のセル状パネルが挙げられる。パネル表面は、例えば薄い木材層またはプラスチック層でコーティングしてもよい。
【００２７】
一実施形態では、前記家具は、２つの少なくとも、ほぼ同様の家具部品を備える。前記家具部品は、ほぼ左右対称であってもよい。前記家具部品はそれぞれ、フレームを備え、このフレームは、２つの端面支持体（ほぼ平面の垂直パネルおよびほぼ平面のテーブル部）を備え、これによって前記端面支持体間に支持されているテーブル面全体の半分を形成する。このフレームによってベッドが、場合によっては動かないように支持されている。これら２つのフレームは、互いに枢動可能に取り付けられ、例えばヒンジによって定められる回転軸を中心に回転する。枢動の回転軸は、家具の底部において、その中心線またはその付近において、水平である。前記フレームは、前記テーブル部が頂部に水平に設けられ、垂直端面支持体によって支持され、ベッドが前記テーブル部の下に垂直に設けられる前記テーブル位置では、互いに反対の方向に回転可能である。そこから、両フレームが前記ベッド位置へと９０度回転可能である。ベッド位置では、前記２つのフレーム、すなわち、前記端面支持体および前記テーブル部は、水平となったベッドの垂直側面を形成する。ベッド位置では、前記２つのフレームが横並びで、周囲がパネルで取り囲まれているダブルベッド（両ベッドの間にはパネルがない）を形成しているため、フレーム内にベッド用の第４の側面は必要ない。
【００２８】
発明における家具のテーブル位置とベッド位置との間の転換の動きを定義する方法として、これら２つの家具位置における主として平面の端面支持体の縁部の様子に着目することが挙げられる。各端面支持体は、互いに水平であり、家具の通常使用時には垂直となっている外大面と内大面とを備える。
【００２９】
前記外面および内面は、以下の縁部、すなわち、
・  テーブル位置では、主として垂直となり、他方のフレームに対向しており、ベッド位置では、主として前記ベッド端部の水平上縁部となる、第１の端面支持体縁部と、
・  テーブル位置では、主として垂直となり、他方のフレームから離れており、ベッド位置では、主として前記ベッド端部の水平下縁部となる、第２の端面支持体縁部と、
・  テーブル位置では、主として床と接する前記垂直支持体の水平下縁部となり、ベッド位置では、主として垂直となり、他方のフレームに対向している、第３の端面支持体縁部と、
・  テーブル位置では、主として前記垂直支持体の水平上縁部となり、その頂部に前記テーブル部を支持しており、ベッド位置では、主として垂直となり、他方のフレームから離れている、第４の端面支持体縁部と
によって接続されている。
【００３０】
本発明に係る典型的なコンバーチブル家具の実施形態は、
・  第１および第２の端面支持体を有する第１のフレームと、前記第１のフレームに支持された第１のベッドおよび第１のテーブル部とを備える第１の家具部品と、
・  第１および第２の端面支持体を有する第２のフレームと、前記第２のフレームに支持された第２のベッドおよび第２のテーブル部とを備える第２の家具部品と、
・  前記第１の家具部品と前記第２の家具部品との間に、これらを少なくとも
・  前記第１および第２のテーブル部は水平に配置され、これによって水平テーブル面を形成し、前記ベッドは使用不能であるテーブル位置と、
・  前記ベッドは使用可能であり、前記テーブル部は使用不能であるベッド位置と
の間で動かすようにガイドするように配置されたピボット手段（ヒンジ、レール、またはガススプリング等）と、
・  前記テーブル位置にある前記第１および第２の家具部品を固定するように配置され、アクチュエータによって、
・  前記テーブル位置にある前記家具部品を固定するロック位置と、
・  前記家具部品の前記ベッド位置への動きを可能にする開位置と
の間で動かされるように構成されたテーブルロックと
を備える。
【００３１】
前記家具部品間の前記ピボット手段は、ベッド位置では、前記ピボット手段の全部または全可動部が前記端面支持体の上縁部の下に配置されるように構成されてもよい。これによって家具を安全で快適に使用することができる。
【００３２】
一実施形態では、テーブル位置では、前記ピボット手段の全部または全可動部は、前記端面支持体の下縁部の上部に配置される。これによって家具を安全で快適に使用することができ、当該家具の下の床や支持体を保護する。
【００３３】
一実施形態では、前記ピボット手段の全部または全可動部は、前記ベッド位置とテーブル位置との間の動きの全体にわたって、前記端面支持体の上縁部の下、および前記端面支持体の下縁部の上部の両方に配置される。一実施形態では、前記ピボット手段の全部または全可動部は、前記ベッド位置とテーブル位置との間の動きの全体にわたって、前記端面支持体の縁部間に留まるように配置される。
【００３４】
本発明の一態様は、本発明に係るコンバーチブル家具を用いる方法である。一実施形態では、当該方法は、
・  第１および第２の家具部品を少なくともベッド位置とテーブル位置との間で動かすことであって、各家具部品は、２つの端面支持体と、前記支持体に支持されたベッドおよびテーブル部とを備える、動かすことと、
・  前記第１の家具部品と前記第２の家具部品との間のピボット手段によって、前記動きをガイドすることと、
・  ベッド位置では、前記ピボット手段の全部または全可動部を前記端面支持体の上縁部の下に維持することと、及び／又は
・  テーブル位置では、前記ピボット手段の全部または全可動部を前記端面支持体の下縁部の上部に維持することと
を含む。
【００３５】
一実施形態では、前記ピボット手段は、前記家具部品の前記端面支持体に回転可能に支持されている。回転可能に支持されているとは、前記ピボット手段が前記家具部品のテーブル位置とベッド位置との間の回転または動きを可能にしていることを意味する。一実施形態では、例えば、ヒンジアームまたはガススプリングの場合、前記ピボット手段の一端部が片方の家具部品の端面支持体に支持され、前記ピボット手段の他端部がもう一方の家具部品の端面支持体に支持されている。一実施形態では、前記ピボット手段は、前記端面支持体の縁部に、またはその付近に取り付けられている。一実施形態では、テーブル位置では、前記ピボット手段は、主として前記端面支持体の水平下縁部である縁部に、またはその付近に取り付けられている。
【００３６】
前記家具部品および前記ピボット手段の上述のスムーズな動きを実現する方法として、前記ヒンジ構造の枢動点または回転点を、前記家具部品の前記端面支持体のわずかに外側に設けることが挙げられる。この種の仮想枢動点を置くことにより、枢動点Ｐには物理的部品は必要なく、つまり、前記家具部品の外側に位置付けられる。ここで、前記ピボット手段の部品はいずれも床と干渉せず、テーブル面から突出することもない。これは、例えば、ヒンジアームの締結点が前記家具部品に対称的に設けられた、前記家具の両端部に２つのヒンジアームを備えるヒンジ構造によって実現可能である。
【００３７】
一実施形態では、テーブル位置では、前記ヒンジアームは、互いに交差して配置され、すなわち、一方のアームが前記第１の家具部品における上側位置および前記第２の家具部品における下側位置に取り付けられ、他方のアームが前記第２の家具部品における上側位置および前記第１の家具部品における下側位置に取り付けられている。一実施形態では、ベッド位置では、前記ヒンジアームは水平に、互いに同じ高さに配置され、すなわち、２つのヒンジアームの締結点または枢動点は互いに同じ高さに設けられている。
【００３８】
テーブル位置とベッド位置との間で動かしているときに、家具の２つの片割れ部品間の主要な支持構造がない場合、ヒンジ構造が重要となる。よって、ヒンジアームの強度および堅牢性が重要である。これらは、例えば、鋼等の金属、プラスチック、または他の適当な材料で製造されてもよい。
【００３９】
ホイールと同様に、ヒンジやガススプリング等のすべての前記ピボット手段が、前記家具部品の動きを支持するに十分な堅牢さを有する必要がある。さらに、これらの部品を前記家具部品へ同じく堅牢に支持する必要がある。可能性のある手法としては、例えば前記家具部品の前記端面支持体に取り付けが容易な１つ以上の比較的大きな支持板にこれらを配置することが挙げられる。この支持板は、例えば、鋼製もしくはアルミニウム板等の金属製であってもよく、または任意の適切なプラスチックもしくは複合材料製であってもよい。ピボット手段のそれぞれの構成部品（例えばヒンジやガススプリング）は、各家具部品にそれぞれの支持板を有してもよい。さらに、各ホイールは、それぞれの支持板に支持されていてもよい。
【００４０】
支持板構造は、家具の堅牢な構造、高い強度、簡単な組み立て、および動きの正確さ向上に寄与する。一実施形態では、各支持板は、ホイールおよびピボット手段を支持している。１つの端面支持体のすべてのピボット手段およびホイールを１つの大きな支持板に取り付けることにより、上述の効果が引き上げられる。
【００４１】
一実施形態では、前記支持板は、前記端面支持体の縁部に沿って、これに取り付けられている。これによって、前記縁部の強度が増し、単純な構造とすることができる。一実施形態では、テーブル位置では、前記支持板は、主として前記端面支持体の水平下縁部となる。これによって、前記下縁部の強度が増し、ホイールを前記支持板に配置することが容易になる。一実施形態では、前記支持板は、同じ長さを有し、これらが取り付けられている前記端面支持体の縁部を形成する。これによって、一層強度が増し、単純な構造とすることができる。
【００４２】
一実施形態では、１つ以上のホイールが前記端面支持体に取り付けられる。一実施形態では、前記ホイールは前記端面支持体に部分的に隠されている。前記ホイールは、前記端面支持体の内面と外面との間に支持され、配置されてもよい。一実施形態では、前記ホイールは、前記テーブル位置では前記端面支持体の外側下隅にあるように位置付けられる。一実施形態では、テーブル位置では、前記ホイールは垂直端面支持体縁部のみから突出している。一実施形態では、テーブル位置では、前記ホイールは、垂直および水平端面支持体縁部の両方から突出している。一実施形態では、前記ホイールは、ベッド位置とテーブル位置との間の動きのどの段階においても、家具とこれが置かれている床またはその他の支持体との接触点として配置される。前記ホイールによって、その下にある床またはその他の支持体に対する家具の動きが容易になる。
【００４３】
一実施形態では、前記ホイールは、前記家具部品の前記端面支持体に取り付けられた支持板に取り付けられている。一実施形態では、前記ホイールはシンプルなキャスター、すなわち、アクスルピンに載置されたローラーである。このアクスルピンの一端部は、前記支持板に例えば溶接によってしっかりと取り付けられていてもよい。
【図面の簡単な説明】
【００４４】
添付する以下の図面を参照して、本発明をより詳細に説明する。
【図１】テーブル位置にある本発明に係るコンバーチブル家具を、上方からの側面視で示す。
【図２】テーブル位置とベッド位置との間の動き途中にある図１の家具を示す。
【図３】ベッド位置にある図１の家具を示す。
【図４】テーブル位置にある図１の家具を、上方からの斜視図で示す。
【図５】ベッド位置にある図１の家具を、上方からの斜視図で示す。
【図６】テーブル位置にある本発明に係る家具の、開位置にあるロック機構を示し、家具の上方からの部分切断図である。
【図７】ロック位置にある図６のロック機構を示す。
【図８】追加の支持体が当てられていない状態の、テーブル位置にある本発明に係る家具の外側上隅を、下方からの斜視図で示す。
【図９】追加の支持体が当てられている状態の、図８の上隅を示す。
【図１０】テーブル位置にある家具の一端部の支持板を示す。
【図１１】ベッド位置にある図１０の支持板を示す。
【図１２】ベッド位置にある、ホイールを有する端面支持体の下部を示す。
【図面の例の詳細説明】
【００４５】
明示のため、それぞれの実施形態において、同じ参照符号は対応する部分に用いられる。明示のため、各図においてすべての部分や特徴を符号で示しているわけではない。
【００４６】
コンバーチブル家具１は、第１の家具部品２ａと、第２の家具部品２ｂとを備える。これらの家具部品はそれぞれ、フレーム１１ａ、１１ｂと、これらフレームに支持されたベッド３ａ、３ｂおよびテーブル部４ａ、４ｂとを備える。図示した家具部品２ａおよび２ｂは、互いにほぼ左右対称である。一部の実施形態では、これらの家具部品間でより大きな差異があってもよい。
【００４７】
ピボット手段、すなわち、ヒンジ５ａおよびガススプリング５ｂが、第１の家具部品２ａと第２の家具部品２ｂとの間に配置される。これらの手段によって、家具部品のテーブル位置とベッド位置との間の動きがガイドされ、補助される。ピボット手段５ａおよび５ｂは、第１および第２の端面支持体、すなわち、第１および第２の家具部品のエンドパネル１２ａ、１２ｂに取り付けられている。
【００４８】
例えば図１および図４に示すテーブル位置では、フレームはサイドパネルを下に立設され、互いに接して配置される。フレームのサイドパネルのうち、頂部に来ているのがテーブル部４ａおよび４ｂである。これらテーブル部は水平に配置され、実質的に面一であり、家具の頂部に水平テーブル面４を形成する。同時に、ベッド３ａおよび３ｂは、フレームの内部に横向きに配置される。言い換えると、ベッドはテーブル部の下に垂直位置にあり、よって、使用不能である。
【００４９】
テーブル位置からベッド位置へと動かす際に、家具部品２ａおよび２ｂの頂部は、図２に示すように互いに離れていく。テーブル面４は、２つのテーブル部４ａおよび４ｂ間の中心線で開く。フレームが水平状態に近づくにつれて、ベッドが段々見えてくる。最終的に、例えば図３および図５に示すように、家具はベッド位置となる。つまり、フレーム１１ａおよび１１ｂと、これらの内部のベッド３ａおよび３ｂとが水平位置となり、ベッドは使用可能となる。同時に、テーブル部４ａおよび４ｂはベッドのサイドパネルとなり、使用不能である。
【００５０】
テーブル部４ａ、４ｂは、テーブル部の対向する辺に、互いに平行な第１の縁部７ａ、７ｂと、第２の縁部８ａ、８ｂとを備える。第１の縁部７ａ、７ｂは、テーブル位置ではテーブル面４の中央で互いに接している。第１の縁部は、ベッド位置ではベッドの側面の上縁部として配置される。第２の縁部８ａ、８ｂは、テーブル位置ではテーブル面４の外縁部として配置され、ベッド位置ではベッドの側面の下縁部として配置される。
【００５１】
各フレーム１１ａ、１１ｂは、第１のエンドパネル１２ａと、第２のエンドパネル１２ｂとを備える。各テーブル部４ａ、４ｂは、対応するエンドパネル間に垂直に配置され、これによって、各エンドパネル１２ａ、１２ｂは、テーブル位置では床と接する垂直支持体として機能し、ベッド位置では垂直ベッド端部として機能する。図示の実施形態において、各エンドパネル１２ａ、１２ｂは、４つの縁部を備える。第１のエンドパネル縁部１３１は、テーブル位置では、主として垂直となり、他方のフレームに対向している。ベッド位置では、第１のエンドパネル縁部１３１は、主としてベッド端部の水平上縁部となる。第２のエンドパネル縁部１３２は、テーブル位置では、主として垂直となり、他方のフレームから離れる方向を向いている。ベッド位置では、第２のエンドパネル縁部１３２は、主としてベッド端部の水平下縁部となる。第３のエンドパネル縁部１３３は、テーブル位置では、主として床と接する垂直支持体の水平下縁部となる。ベッド位置では、第３のエンドパネル縁部１３３は、主として垂直となり、他方のフレームに対向している。第４のエンドパネル縁部１３４は、テーブル位置では、主として垂直支持体の水平上縁部となり、その頂部にテーブル部４ａまたは４ｂを支持している。ベッド位置では、第４のエンドパネル縁部１３４は、主として垂直となり、他方のフレームから離れている。この例では、第１および第２のパネル縁部は互いに実質的に平行である。同様に、第３および第４のパネル縁部は互いに実質的に平行であり、第１および第２のパネル縁部に対して垂直である。したがって、図示の実施形態において、エンドパネル１２ａ、１２ｂは、隅が丸みを帯びた実質的な長方形として形成されている。ただし、必ずしもこのとおりでなくてもよく、当該家具は各種形態で設計可能である。
【００５２】
家具部品２ａ、２ｂを安全にテーブル位置に維持するために、容易に操作されるテーブルロック６がフレーム１１ａ、１１ｂ間に配置される。このテーブルロックは、ロック位置では家具部品を固定する。テーブルロックが開位置にあると、家具部品２ａ、２ｂのベッド位置に向けた動きが可能になる。テーブルロック６は、例えば図６および図７に示すように、第１のテーブル部４ａにある第１のロック部材６ａと、第２のテーブル部４ｂにある第２のロック部材６ｂとを備える。ロック部材６ａ、６ｂは、テーブル位置では、テーブルの中央で互いに接している、またはごく近くに位置するように、テーブル部の第１の縁部７ａ、７ｂに、またはその近傍に配置される。ベッド位置では、ロック部材は、ベッドの側面の上縁部に配置される。
【００５３】
図示の実施形態において、テーブルロックは、第１のロック部材として鋼製円弧部６ａ、すなわち、円弧状の鋼製形状を有するシンプルなラッチであり、第２のロック部材としてピン６ｂである。鋼製円弧部６ａは、配置されている第１のテーブル部４ａの面に沿った方向に回転可能である。２つのテーブル部４ａおよび４ｂが互いに接触しているとき、鋼製円弧部６ａはピン６ｂの背後に回り込んでもよく、これによって、鋼製円弧部６ａとピン６ｂとが互いに噛み合う。これは、テーブルロック６がロック位置にあり、家具部品２ａ、２ｂがテーブル位置に固定されていることを示している。円弧部６ａの開いている部分がピン６ｂに相対するように円弧部６ａを回転させると、テーブルロック６は開位置となる。この状態で、家具部品２ａ、２ｂは互いに離れていくことができる。
【００５４】
テーブルロック６の機能を容易にするため、ロックアクチュエータ、すなわち、長尺シャフト６ｃがその第１の端部９ａにおいて鋼製円弧部６ａに接続される。シャフト６ｃは、第１のテーブル部４ａの面に沿った方向に回転するように構成されたレバーである。シャフト６ｃを回転することにより鋼製円弧部６ａが動き、これによってテーブルロック６がロック位置と開位置との間で切り替わる。つまり、第１のテーブル部４ａの付近でありその下でシャフト６ｃを水平に回転することにより、テーブル位置にあるテーブルロックが開かれ、固定される。シャフト６ｃは、第１のテーブル部４ａの内面１０ａに枢動点１３で支持されている。長尺シャフト６ｃの第２の端部９ｂは、第１のテーブル部４ａの第２の縁部８ａに向かって配置される。シャフト６ｃはテーブルロック６から、テーブル部４ａの下に配置されているベッド３ａを越えて、テーブル部の第２の縁部８ａに向かって延びている。シャフトの第２の端部９ｂは、ハンドルを備えてもよく、ユーザーはテーブル部の第２の縁部８ａの下に手を差し入れることによって、このハンドルを手動で操作することができる。シャフト６ｃは、内面１０ａに向かって動くように構成される。これによって、第１のテーブル部４ａと、その下に配置された第１のベッド３ａとの間の狭い隙間において、シャフトを自由に動かすことができる。シャフトが動くスペースをより大きく取るために、ベッドの側方に窪みを形成してもよい。長尺シャフトを少なくとも部分的にテーブル部の内部に配置することもできる。これは、例えばテーブル部４ａの内面１０ａに適当な開いた窪みを形成することによって実現されてもよい。シャフト６ｃは、その全体が、またはほぼ全体がテーブル部４ａの内側に位置し、第２の端部のみ（例えばハンドル）が見えて手で操作できる構造であってもよい。
【００５５】
テーブル位置とベッド位置との転換の際に、置かれている床に対する家具の動きを容易にするために、１つ以上の部分的に隠されたホイール１４ａおよび１４ｂをエンドパネル１２ａ、１２ｂに取り付けることができる。これらのホイールは、例えば、各ホイール１４ａ、１４ｂのほんの一部のみがエンドパネルの縁部から突出するように、その大半を、または部分的にエンドパネル１２ａ、１２ｂの内側に配置されてもよい。テーブル位置では外側下隅となる隅に１つ以上のホイール１４ａ、１４ｂを配置することが有利となり得る。言い換えると、第２のエンドパネル縁部１３２と第３のエンドパネル縁部１３３がぶつかる隅である。ホイールは、垂直パネル縁部１３２のみから、または垂直パネル縁部１３２および水平パネル縁部１３３の両方から突出していてもよい。図１、図２、および図３では、ホイールが位置する隅を円で示している。図示の実施形態において、ホイール１４ａ、１４ｂは、第２のエンドパネル縁部１３２および第３のエンドパネル縁部１３３から突出するように配置される。ホイールのパネル縁部１３２、１３３からの突出幅は、例えば２ｍｍ未満、５ｍｍ未満、２０ｍｍ未満、２〜５ｍｍ、２〜１０ｍｍ、５〜１０ｍｍ、または２〜２０ｍｍであってもよい。テーブル位置ではホイール１４ａ、１４ｂが床に当てられず、ベッド位置への動きの開始とともにホイール１４ａ、１４ｂが床に当たり始めるように、追加の支持体または脚をパネル縁部１３３に配置してもよい。これによって、実質的に両位置間の動き全体における家具の転換が容易になる。ホイール１４ａ、１４ｂは、様々な方法で構成され得る。ホイールの全部または一部を、動きを容易にする、または摩擦を抑える他の手段（プラスチック製の滑り具等）によって置き換えることも可能である。
【００５６】
図８および図９は、テーブル位置にある家具１の外側上隅を示している。回転可能な追加の支持体１５がテーブル部４ａの下に配置される。図８では、テーブル部の下に隠されて、エンドパネル１２の隅とテーブル部の内面１０ａの陰になっている。図中、支持体１５はテーブル部４ａに固定されている。家具をベッド位置へと動かす準備の際に、垂直軸１５ａを中心に、支持体１５の外側端部１５ｂを回転させ、第２のエンドパネル縁部１３２に当てる。ベッド位置では、パネル縁部１３２上に位置する支持体の外側端部１５ｂは床に当たる。その縁部１３２では、支持体の外側端部１５ｂの厚さが、ホイール１４ａまたは１４ｂがパネル縁部１３２から突出する距離、すなわち、例えば２ｍｍ未満、５ｍｍ未満、２０ｍｍ未満、２〜５ｍｍ、２〜１０ｍｍ、５〜１０ｍｍ、または２〜２０ｍｍと同じであってもよい。これによって、ベッド位置にある家具１の重量は、ホイール１４ａ、１４ｂおよび追加の支持体１５に乗る。これらの追加の支持体１５を家具の別の位置にさらに設けてもよい。これにより、例えばベッド位置にあるホイール１４ａ、１４ｂから全重量を取り除くことが可能になり得る。支持体１５は、例えば適当なプラスチック製であってもよい。さらに、固定脚またはその他の固定支持体を、テーブル位置およびベッド位置において床と接触するように、パネル縁部に配置してもよい。脚またはその他の支持体によって、家具が意図せず動くことを防ぐために、家具と床との間に追加で摩擦を生じ得る。
【００５７】
図には、家具の各端部に２つの長尺支持板１６ａおよび１６ｂを設けた実施形態を示している。第１の支持板１６ａは、第２の家具部品２ｂの端面支持体１２ａおよび１２ｂに取り付けられている。第２の支持板１６ｂは、第１の家具部品２ａの端面支持体１２ａおよび１２ｂに取り付けられている。各支持板１６ａおよび１６ｂは、ホイール１４ａまたは１４ｂと、ヒンジアーム５ａおよび５ａ'の一端と、ガススプリング５ｂの一端とを支持している。支持板１６ａ、１６ｂは、スクリューまたはボルト１７によってエンドパネル１２ａ、１２ｂに取り付けられている。
【００５８】
支持板は、端面支持体１２ａ、１２ｂの内面に、第３のエンドパネル縁部１３３に沿って、これに取り付けられている。このように、テーブル位置では、支持板１６ａ、１６ｂは、主として床と接する垂直支持体の水平下縁部となる。ベッド位置では、支持板１６ａ、１６ｂは、主として垂直となり、他方のフレームに対向し、他方のフレームの支持板に接する。支持板１６ａ、１６ｂは同じ長さを有し、それぞれが取り付けられるパネル縁部１３３を形成する。実際、これら支持板はパネル縁部１３３の一部を形成すると考えることができる。図１０は、テーブル位置にある家具の一端部のヒンジアーム５ａ、５ａ'、ガススプリング５ｂ、およびホイール１４ａ、１４ｂがそれぞれ設けられる支持板１６ａおよび１６ｂを示し、図１１は、ベッド位置にあるこれらの要素を示している。
【００５９】
図１２は、第２のエンドパネル縁部１３２および第３のエンドパネル縁部１３３の隅に配置されたホイール１４ｂの一例を示す。支持板１６ｂは、端面支持体１２ａの内面に、第３のエンドパネル縁部１３３に沿って、これに取り付けられている。内面とは、ベッド３ａおよび他方の端面支持体１２ｂに対向する面を意味する。支持板は、端面支持体１２ａの内面およびパネル縁部１３３の両方に位置合わせされ、実際にこれらの一部を形成する。ホイール１４ｂは、端面支持体１２ａの内面と外面との間に支持され、配置される。
【００６０】
ホイール１４ａ、１４ｂは、シンプルなキャスター、すなわち、支持板上のアクスルピン１９に載置された旋回ローラーであってもよい。支持板１６ａ、１６ｂの設計、ホイール１４ａ、１４ｂの直径、およびアクスルピン１９の位置は、ホイールが最も外側、すなわち、ベッド位置とテーブル位置との転換のどの段階においても接触する点に設けられるように選択することができる。
【００６１】
ホイールのアクスルピン１９の一端は、例えば支持板１６に溶接によってしっかりと取り付けられている。アクスルピン１９の他端は、例えばエンドパネル１２ａ、１２ｂ上で支持されてもよい。ただし、アクスルピン１９は、他端に支持体を設けなくても曲がることのないように、より厚く、十分に強い素材で製造することができる。
【００６２】
ガススプリング５ｂは、テーブル位置とベッド位置との間の転換を補助する。家具を両位置間で動かす際に、ユーザーは通常、ベッド位置からテーブル位置への動きを開始するときに最も強い力を要する。したがって、ガススプリング５ｂがある程度の力または最大の力を提供し、つまり、ベッド位置から開始する際にユーザーを補助するように配置されてもよい。ガススプリング５ｂはある程度の力または最小の力を提供し、つまり、テーブル位置から開始する際にユーザーをより小さい力で補助するように配置されてもよい。これは、テーブル位置から意図せず開くことを防ぐのに有用である。
【００６３】
家具部品をスムーズに動かすために、枢動点Ｐ、すなわちヒンジ構造の回転点は、家具部品２ａ、２ｂの端面支持体１２ａ、１２ｂのわずかに外側に配置されてもよい。枢動点Ｐの適切な位置の例は、図１０および図１１に矢印で示されている。ヒンジ構造によって枢動点Ｐに、すなわち、家具部品の外側に何らかの物理的部品が必要であると問題が生じてしまう。こういった部品は、床と干渉するか、テーブル面から突出してしまうからである。図示のヒンジは、テーブル位置またはベッド位置にある端面支持体１２ａ、１２ｂの外側に突出しない。家具部品２ａおよび２ｂ間のヒンジ構造は、家具の両端部に２つのヒンジアーム５ａおよび５ａ'を備える。ヒンジは、支持板１６ａおよび１６ｂ上に対称に位置するヒンジアーム５ａおよび５ａ'の締結点１８を有するダブルアームヒンジとして構成される。テーブル位置では、図１１に示すように、ヒンジアーム５ａ、５ａ'は、互いに交差して配置される。つまり、アーム５ａは、第１の支持板１６ａにおける上側位置および第２の支持板１６ｂにおける下側位置に取り付けられ、アーム５ａ'は、第２の支持板１６ｂにおける上側位置および第１の支持板１６ａにおける下側位置に取り付けられている。ベッド位置では、図１０に示すように、ヒンジアーム５ａおよび５ａ'は水平に、互いに同じ高さに配置され、すなわち、２つのヒンジアームの締結点または枢動点１８は互いに同じ高さに設けられている。
【００６４】
２つのヒンジアーム５ａおよび５ａ'と４つのヒンジアーム枢動点１８を有する図示されているヒンジ構造によって、回転動作を常に一定に確保する。
【００６５】
ヒンジアーム５ａおよび５ａ'は、支持板１６ａ、１６ｂの対向する辺に、互いにぶつからないように設けられている。アーム５ａ、５ｂは、摩耗を避けるように締結点にベアリングが載置されていてもよい。支持板１６ａ、１６ｂが端面支持体１２ａ、１２ｂの内側面に取り付けられると、少なくとも可動ピボット手段の一部、例えばヒンジアームの一方は、動くためのスペースを設けるために、端面支持体１２ａ、１２ｂの内側に空洞を必要とし得る。また、ホイール１４ａ、１４ｂを設けるために、端面支持体１２ａ、１２ｂの内部に空洞が必要である。
【００６６】
テーブル位置とベッド位置との間で動かしているときに、家具の２つの片割れ部品間の主要な支持構造がない場合、ヒンジ構造が重要となる。よって、ヒンジアーム５ａおよび５ａ'の強度および堅牢性が重要である。これらは、鋼等の金属、プラスチック、または他の適当な材料で製造されてもよい。
【００６７】
脚または他の支持体が、テーブル位置およびベッド位置において床と接触するように、パネル縁部に配置されてもよい。これらの脚または他の支持体は、家具が意図せず転がることを防ぐために、家具と床との間に追加で摩擦を生じ得る。
【００６８】
図には本発明に係る一部の好適な実施形態のみを示している。本発明の主な概念に関する二次的に重要な事実、当業者には既知または自明の事実、例えば本発明によって必要となり得る支持構造等は、必ずしも図面に個別に示されてはいない。当業者には、本発明は上述の例のみに限定されるものではなく、本発明は以下に提示された請求項の範囲内で変更可能であることが自明である。従属請求項は、本発明の保護の範囲を制限するとみなされるものではない。
【図１】
2021526056.tif 000003
【図２】
2021526056.tif 000004
【図３】
2021526056.tif 000005
【図４】
2021526056.tif 000006
【図５】
2021526056.tif 000007
【図６】
2021526056.tif 000008
【図７】
2021526056.tif 000009
【図８】
2021526056.tif 000010
【図９】
2021526056.tif 000011
【図１０】
2021526056.tif 000012
【図１１】
2021526056.tif 000013
【図１２】
2021526056.tif 000014
【国際調査報告】
2021526056.tif 000015
2021526056.tif 000016
2021526056.tif 000017